(57)【要約】  【課題】  アンテナおよびそれを用いた無線通信装置を小型化する。  【解決手段】  本発明のアンテナ１は、グランド部３と、グランド部３に近接して配された２つのアンテナ用配線４と、２つのアンテナ用配線４のそれぞれに設けられた、アンテナ用配線４に電流を供給する給電用電極６とを備え、２つのアンテナ用配線４は、アンテナ用配線４を流れる電流をベクトルで表わしたときの合成ベクトルにおける２つのアンテナ用配線４の配列方向に沿った成分が互いに反対方向に向くように引き回されており、２つのアンテナ用配線４の配列方向に沿った長さは、いずれも２つのアンテナ用配線４同士の最近接部の距離よりも大きい。このような構成を有することによって、アンテナ１および無線通信装置７を小型化することができる。【選択図】  図１
2014220674.tif 000002
【特許請求の範囲】
【請求項１】
グランド部と、
該グランド部に近接して配された２つのアンテナ用配線と、
該２つのアンテナ用配線のそれぞれに設けられた、該アンテナ用配線に電流を供給する給電用電極とを備え、
前記２つのアンテナ用配線は、前記アンテナ用配線を流れる電流をベクトルで表わしたときの合成ベクトルにおける前記２つのアンテナ用配線の配列方向に沿った成分が互いに反対方向に向くように引き回されており、
前記２つのアンテナ用配線の前記配列方向に沿った長さは、いずれも前記２つのアンテナ用配線同士の最近接部の距離よりも大きい、アンテナ。
【請求項２】
請求項１に記載のアンテナにおいて、
前記２つのアンテナ用配線同士の間に配された副グランド部をさらに備える、アンテナ。
【請求項３】
請求項１または２に記載のアンテナにおいて、
前記２つのアンテナ用配線は、ミアンダ状に引き回されている、アンテナ。
【請求項４】
請求項２に記載のアンテナにおいて、
前記給電用電極は、いずれも前記２つのアンテナ用配線のうち前記グランド部寄りの領域から前記副グランド部に向かって突出して形成されている、アンテナ。
【請求項５】
請求項２に記載のアンテナにおいて、
前記２つのアンテナ用配線には、前記副グランド部に電気的に接続される接続点がそれぞれ設けられており、
前記接続点と前記グランド部との距離は、前記給電用電極と前記グランド部との距離よりも大きい、アンテナ。
【請求項６】
請求項１ないし５のいずれかに記載のアンテナと、
該アンテナに電気的に接続された送信器または受信器と、
前記アンテナおよび前記送信器または前記受信器を収容した筐体とを備えた、無線通信装置。
【発明の詳細な説明】
【技術分野】
【０００１】
本発明は、アンテナおよびこのアンテナを備える無線通信装置に関する。
【背景技術】
【０００２】
特定の電波の送受信を行なうことが可能なアンテナの１つとして、帯状の線路導体を用いたアンテナが知られている。例えば、特許文献１には、上面視にて矩形状のグランド形成体と、グランド形成体の一端側に配された第１アンテナ導体と、グランド形成体の他端側に配された第２アンテナ導体とを有するアンテナが記載されている。
【先行技術文献】
【特許文献】
【０００３】
【特許文献１】国際公開第２００８／０６９１６５号
【発明の概要】
【発明が解決しようとする課題】
【０００４】
特許文献１に記載のアンテナでは、第１アンテナ導体と第２アンテナ導体とがグランド形成体を挟むように位置している。したがって、グランド形成体の一方側と他方側とにアンテナ導体を設けるスペースが必要となるため、アンテナが大型化しやすいという問題があった。
【０００５】
本発明は、かかる問題点に鑑みてなされたものであり、その目的は、小型化が可能なアンテナおよび無線通信装置を提供することにある。
【課題を解決するための手段】
【０００６】
本発明の一実施形態に係るアンテナは、グランド部と、該グランド部に近接して配された２つのアンテナ用配線と、該２つのアンテナ用配線のそれぞれに設けられた、該アンテナ用配線に電流を供給する給電用電極とを備え、前記２つのアンテナ用配線は、前記アンテナ用配線を流れる電流をベクトルで表わしたときの合成ベクトルにおける前記２つのアンテナ用配線の配列方向に沿った成分が互いに反対方向に向くように引き回されており、前記２つのアンテナ用配線の前記配列方向に沿った長さは、いずれも前記２つのアンテナ用配線同士の最近接部の距離よりも大きい。
【０００７】
また、本発明の一実施形態に係る無線通信装置は、上記のアンテナと、該アンテナに電気的に接続された送信器または受信器と、前記アンテナおよび前記送信器または前記受信器を収容した筐体とを備えている。
【発明の効果】
【０００８】
本発明によれば、２つのアンテナ用配線は、２つのアンテナ用配線同士の最近接部の距離がアンテナ用配線の配列方向に沿った長さよりも小さくなるように配されていることから、アンテナ用配線の設置スペースを小さくすることができ、アンテナおよびこのアンテナを備える無線通信装置を小型化することができる。
【図面の簡単な説明】
【０００９】
【図１】本発明の一実施形態に係るアンテナを模式的に示した上面図である。
【図２】図１に示したアンテナの一部を拡大した拡大図である。
【図３】図２に示したアンテナの一部をさらに拡大した拡大図である。
【図４】図１〜図３に示したアンテナのアイソレーション特性を示したグラフである。
【図５】図１に示したアンテナの比較例となるアンテナを模式的に示した上面図である。
【図６】図５に示したアンテナのアイソレーション特性を示したグラフである。
【図７】図１に示したアンテナの比較例となるアンテナを模式的に示した上面図である。
【図８】図７に示したアンテナのアイソレーション特性を示したグラフである。
【図９】図１に示したアンテナの比較例となるアンテナを模式的に示し、その上面を拡大した拡大図である。
【図１０】図９に示したアンテナのアイソレーション特性を示したグラフである。
【図１１】図１に示したアンテナを用いた無線通信装置を模式的に示した上面図である。
【図１２】図１に示したアンテナの一変形例を模式的に示した斜視図である。
【図１３】図１に示したアンテナの一変形例を模式的に示した斜視図である。
【図１４】図１に示したアンテナの一変形例を模式的に示した斜視図である。
【図１５】図１に示したアンテナの一変形例を模式的に示した斜視図である。
【図１６】図１に示したアンテナの一変形例を模式的に示した斜視図である。
【図１７】図１に示したアンテナの一変形例を模式的に示した斜視図である。
【図１８】図１に示したアンテナの一変形例を模式的に示した斜視図である。
【図１９】図１に示したアンテナの一変形例を模式的に示し、その上面を拡大した拡大図である。
【図２０】図１９に示したアンテナのアイソレーション特性を示したグラフである。
【図２１】図１９に示したアンテナの比較例となるアンテナを模式的に示し、その上面を拡大した拡大図である。
【図２２】図２１に示したアンテナのアイソレーション特性を示したグラフである。
【発明を実施するための形態】
【００１０】
（アンテナおよび無線通信装置）
以下、本発明の一実施形態に係るアンテナおよびこのアンテナを備える無線通信装置について、図１〜図２２を参照しながら説明する。なお、本発明は以下の実施形態に限定されるものではない。
【００１１】
図１は、アンテナ１の上面図であり、アンテナ１の概要を模式的に示している。図２は、図１に示したアンテナ１を拡大した拡大図であり、アンテナ用配線４、グランド部３および副グランド部５等の位置関係等を示している。図３は、図２に示したアンテナ１をさらに拡大した拡大図であり、アンテナ用配線４および給電用電極６等の位置関係等を示している。図４は、図１〜図３に示したアンテナ１のアイソレーション特性を示したグラフである。図５は、図１に示したアンテナ１の比較例となるアンテナ１を示している。具体的には、図５に示したアンテナ１は、図１に示したアンテナ１と異なり、２つのアンテナ用配線４同士の最近接部の距離が、２つのアンテナ用配線４それぞれの配列方向に沿った長さよりも大きくなったアンテナ１を示している。図６は、図５に示したアンテナ１のアイソレーション特性を示したグラフである。図７は、図１に示したアンテナ１の比較例となり、図５と異なるアンテナ１を示している。具体的には、図７に示したアンテナ１は、図１に示したアンテナ１と異なり、２つのアンテナ用配線４同士の最近接部の距離が、２つのアンテナ用配線４それぞれの配列方向に沿った長さよりも大きくなったアンテナ１を示している。図８は、図７に示したアンテナ１のアイソレーション特性を示したグラフである。図９は、図１に示したアンテナ１の比較例となるアンテナ１を示している。具体的には、図９に示したアンテナ１は、図１に示したアンテナ１と異なり、アンテナ用配線４の配列方向に直交する方向に沿って、給電用電極６から副グランド部５のグランド部３側の一端までの長さが、給電用電極６から副グランド部５の他端までの長さよりも大きくな
ったアンテナ１を示している。図１０は、図９に示したアンテナ１のアイソレーション特性を示したグラフである。図１１は、図１に示したアンテナ１を用いた無線通信装置７を模式的に示した上面図である。図１２〜図１８は、それぞれ図１に示したアンテナ１の一変形例を模式的に示した斜視図である。具体的には、図１２〜図１８に示したアンテナ１のアンテナ用配線４の配線形状が、図１に示したアンテナ１のものと異なる。図１９は、図１に示したアンテナ１の変形例となるアンテナ１を示している。具体的には、図１９に示したアンテナ１は、図１に示したアンテナ１と異なり、短絡線１２を備えている。図２０は、図１９に示したアンテナ１のアイソレーション特性を示したグラフである。図２１は、図１９に示したアンテナ１の比較例となるアンテナ１を示している。具体的には、図２１に示したアンテナ１は、図１９に示したアンテナ１と異なり、短絡線１２が給電用電極６よりもグランド部３側に位置しているアンテナ１を示している。図２２は、図２１に示したアンテナ１のアイソレーション特性を示したグラフである。
【００１２】
＜アンテナ＞
アンテナ１は、携帯電話、タブレット型コンピュータ、無線ＬＡＮ用ルーターまたは無線ＬＡＮ用子機等に用いられる。本実施形態においては、アンテナ１は、図１〜図３に示したように、絶縁基板２と、絶縁基板２の上面に配されたグランド部３と、絶縁基板２の上面に配されているとともにグランド部３に近接して配された２つのアンテナ用配線４と、２つのアンテナ用配線４同士の間に配された副グランド部５と、２つのアンテナ用配線４のそれぞれに設けられた、アンテナ用配線４に電流を供給する給電用電極６とを備えている。
【００１３】
絶縁基板２は、グランド部３およびアンテナ用配線４を支持したり、アンテナ用配線４と他の部材との絶縁を確保したりする。絶縁基板２は、例えば平板状である。また、絶縁基板２は、例えば上面視にて矩形形状である。絶縁基板２は、例えばガラスエポキシ等の樹脂材料またはセラミックスからなる。
【００１４】
グランド部３は、アンテナ１の基準電位となるものである。グランド部３は、例えば絶縁基板２の上面に層状に形成されている。なお、グランド部３は、絶縁基板２の下面に形成されていてもよい。グランド部３は、例えば上面視にて矩形形状である。グランド部３は、例えば銅、アルミニウム、金、銀、タングステンまたはモリブデン等の金属材料、あるいはこれら金属材料を複数含んだ合金等から形成される。
【００１５】
アンテナ用配線４は、特定波長の電磁波を放射して他のアンテナ等に情報を送信したり、特定波長の電磁波を受けて他のアンテナ等から情報を受信したりする機能を有する。具体的には、アンテナ用配線４からは、このアンテナ用配線４に交流電流が流れることによって、このアンテナ用配線４の周囲に発生する電磁界の変化に応じて電磁波が放射され、情報を送信することができる。また、アンテナ用配線４は、アンテナ用配線４が周囲の電磁波を受けることによって、アンテナ用配線４の周囲の電磁界の変化に応じて交流電流がアンテナ用配線４を流れるので、その交流電流に対応した情報を受信することができる。
【００１６】
アンテナ用配線４は、導電性材料からなり、例えば銅、アルミニウム、金、銀、タングステンまたはモリブデン等の金属材料、あるいはこれら金属材料を複数含んだ合金で形成される。
【００１７】
アンテナ用配線４は、複数配置されている。本実施形態においては、アンテナ用配線４は、図２に示したように、２つが配置されている。２つのアンテナ用配線４は、一方のアンテナ用配線４Ａと他方のアンテナ用配線４Ｂとからなる。
【００１８】
アンテナ用配線４の配列方向に沿った長さＬ２は、図２に示したように、２つのアンテ
ナ用配線４同士の最近接部の距離Ｌ１よりも大きい。このような構成を有することによって、２つのアンテナ用配線４同士の距離Ｌ１を小さくでき、複数のアンテナ用配線４を高密度に配置できるため、アンテナ用配線４の設置スペースをより小さくすることができるので、アンテナ１を小型化することができる。
【００１９】
また、アンテナ用配線４の配列方向に沿った長さＬ２を大きくすることによって、アンテナ用配線４を流れる電流をベクトルで表わしたときの合成ベクトルのアンテナ用配線４の配列方向に沿った成分を大きくすることができる。すなわち、アンテナ用配線４の周囲に発生する電磁界の強度を向上させることができるため、アンテナ用配線４の電磁波の放射性を向上させることができる。
【００２０】
また、アンテナ用配線４の配列方向に沿った長さＬ２を、図２に示したように、２つのアンテナ用配線４同士の最近接部の距離Ｌ１よりも大きくすることによって、２つのアンテナ用配線４のうち一方のアンテナ用配線４Ａから放射される電磁波の他方のアンテナ用配線４Ｂへの影響を小さくすることができる。すなわち、２つのアンテナ用配線４同士のアイソレーション特性を向上させることができる。
【００２１】
具体的には、図５に示した例のアンテナ１は、本実施形態にかかるアンテナ１と比較して、アンテナ用配線４の配列方向に沿った長さＬ２を一定にしつつ２つのアンテナ用配線４同士の最近接部の距離Ｌ１を大きくして、２つのアンテナ用配線４同士の最近接部の距離Ｌ１をアンテナ用配線４の配列方向に沿った長さＬ２よりも大きくしている。これに対して、図４および図６に示した、図２に示した本実施形態に係るアンテナ１と図５に示した例のアンテナ１とのアイソレーション特性の結果を比較すると、図２に示した例のアンテナ１の方が、図５に示した例のアンテナ１よりも、２つのアンテナ用配線４同士のアイソレーション特性が向上している。
【００２２】
また、図７に示した例のアンテナ１は、本実施形態にかかるアンテナ１と比較して、２つのアンテナ用配線４同士の最近接部の距離Ｌ１を一定にしつつアンテナ用配線４の配列方向に沿った長さＬ２を小さくして、２つのアンテナ用配線４同士の最近接部の距離Ｌ１をアンテナ用配線４の配列方向に沿った長さＬ２よりも大きくしている。これに対して、図４および図８に示した、図２に示した本実施形態に係るアンテナ１と図７に示した例のアンテナ１とのアイソレーション特性の結果を比較すると、図２に示した例のアンテナ１の方が、図７に示した例のアンテナ１よりも２つのアンテナ用配線４同士のアイソレーション特性が向上している。
【００２３】
したがって、アンテナ用配線４の配列方向に沿った長さＬ２を、図２に示したように、２つのアンテナ用配線４同士の最近接部の距離Ｌ１よりも大きくすることによって、２つのアンテナ用配線４同士のアイソレーション特性を向上させることができる。
【００２４】
なお、図１の例に示したアンテナ１では、２つのアンテナ用配線４同士の最近接部の距離Ｌ１が８ｍｍに設定されており、アンテナ用配線４の配列方向に沿った長さＬ２が１０．９ｍｍに設定されている。また、図５に示した例のアンテナ１では、２つのアンテナ用配線４同士の最近接部の距離Ｌ１が１８ｍｍに設定されている。図７に示した例のアンテナ１では、アンテナ用配線４の配列方向に沿った長さＬ２は６．２ｍｍに設定されている。
【００２５】
２つのアンテナ用配線４は、図１に示した例において、グランド部３に近接して一方向に沿って並んで配された、副グランド部５を挟んで左右対称形の一対となってグランド部３に近接して配されている。すなわち、２つのアンテナ用配線４がグランド部３に近接して一方向に沿って並んで配されていることから、２つのアンテナ用配線４がグランド部３
を挟むように配されている場合と比較して、２つのアンテナ用配線４を設けるスペースをグランド部３の片側に集約することができるため、アンテナ１を小型化することができる。なお、本実施形態においては、２つのアンテナ用配線４は、グランド部３の一辺に沿って並んで配されている。また、２つのアンテナ用配線４は、２つのアンテナ用配線４の配列方向において、２つのアンテナ用配線４の縁がグランド部３の縁よりも内側に位置するように配置されている。
【００２６】
アンテナ用配線４は、アンテナ用配線４を流れる電流をベクトルで表わしたときの合成ベクトルにおける２つのアンテナ用配線４の配列方向に沿った成分が、互いに反対方向に向くように設けられている。
【００２７】
アンテナ用配線４は、図２に示したように、例えばミアンダ状に形成されている。このような構成を有することによって、アンテナ用配線４が一直線状に設けられている場合と比較して、限られたスペース内にアンテナ用配線４を設けることができるので、アンテナ用配線４を小型化することができ、ひいてはアンテナ１を小型化することができる。
【００２８】
２つのアンテナ用配線４は、図２に示したように、副グランド部５を間にして互いに対称な構造になっていてもよい。このような構成を有することによって、例えばアンテナ１がＭＩＭＯアンテナの場合に、２つのアンテナ用配線４同士間に通信の性能差が生じ、性能が劣る方のアンテナ用配線４に影響されて、２つのアンテナ用配線４全体の通信の性能が低減することを抑制することができるので、２つのアンテナ用配線４全体の通信性能を向上させることができる。なお、「対称な構造」とは、２つのアンテナ用配線４の配列方向に直交する方向に沿って、かつ２つのアンテナ用配線４同士の最近接部を結ぶ線分の中点を通る線分を対称軸とした場合に、一方のアンテナ用配線４Ａと他方のアンテナ用配線４Ｂとが線対称の関係にあることをいう。
【００２９】
副グランド部５は、絶縁基板２の上面に配されており、例えば上面視にて矩形状である。副グランド部５は、例えば銅、アルミニウム、金、銀、タングステンまたはモリブデン等の金属材料あるいはこれら金属材料を複数含んだ合金で形成される。
【００３０】
副グランド部５は、２つのアンテナ用配線４同士の間に線対称の対称軸となるように配されて、２つのアンテナ用配線４のアイソレーション特性を向上させるものである。すなわち、副グランド部５が２つのアンテナ用配線４同士の間に配置されていることによって、副グランド部５が導電性の金属材料からなるので、一方のアンテナ用配線４Ａから他方のアンテナ用配線４Ｂに入射しようとする電磁波を遮蔽することができるため、２つのアンテナ用配線４同士のアイソレーション特性を向上させることができる。
【００３１】
副グランド部５は、図１に示したように、グランド部３と電気的に接続させた方が望ましい。このような構成を有することによって、グランド部３および副グランド部５が１つのグランドとして機能するので、グランドとして機能する導電性領域の面積が大きくなり、電磁波を効果的に遮蔽させることができる。したがって、一方のアンテナ用配線４Ａの電磁波の他方のアンテナ用配線４Ｂへの影響を小さくすることができ、２つのアンテナ用配線４同士のアイソレーション特性を向上させることができる。
【００３２】
副グランド部５は、図２に示したように、グランド部３に接続して隣接していることが望ましい。このような構成を有することによって、グランド部３と副グランド部５とが連続して設けられているので、副グランド部５とグランド部３との間に隙間がある場合と比較して、グランドとして機能する導電性領域の面積を大きくすることができるため、効果的に電磁波を遮蔽することができ、２つのアンテナ用配線４同士のアイソレーション特性を向上させることができる。
【００３３】
副グランド部５における２つのアンテナ用配線４の配列方向に直交する方向に沿った長さは、図２に示したように、アンテナ用配線４の配列方向に直交する方向に沿った長さよりも長いことが望ましい。このような構成を有することによって、アンテナ用配線４の配列方向に直交する方向に沿って、副グランド部５をアンテナ用配線４よりも突出させることができるので、一方のアンテナ用配線４Ａから他方のアンテナ用配線４Ｂに入射しようとする電磁波を効果的に遮蔽することができるため、２つのアンテナ用配線４同士のアイソレーション特性を向上させることができる。
【００３４】
給電用電極６は、アンテナ用配線４に接続しており、アンテナ用配線４に電流を供給する。給電用電極６は、例えばアンテナ用配線４と一体的に形成される。給電用電極６は、図２に示したように、複数配置されており、１つのアンテナ用配線４に対して１つ設けられている。本発明におけるアンテナ用配線４は、いわゆるモノポールアンテナとなる。
【００３５】
給電用電極６は、図２に示したように、アンテナ用配線４から副グランド部５に向かって突出して形成されている。なお、給電用電極６は、アンテナ用配線４からグランド部３に向かって突出して形成されてもよい。給電用電極６は、例えば、銅、アルミニウム、金、銀、タングステンまたはモリブデン等の金属材料、あるいはこれら金属材料を複数含んで形成される。
【００３６】
給電用電極６は、図３に示したように、グランド部３の近接領域に位置していることが望ましい。すなわち、２つのアンテナ用配線４の配列方向に直交する方向に沿って、給電用電極６から副グランド部５のグランド部３側の一端までの長さは、図３に示したように、給電用電極６から副グランド部５の他端までの長さよりも小さいことが望ましい。このような構成を有することによって、図４および図１０から分かるように、図３に示した例のアンテナ１は、図９に例を示した、アンテナ用配線４の配列方向に直交する方向に沿って、給電用電極６から副グランド部５のグランド部３側の一端までの長さが、給電用電極６から副グランド部５の他端までの長さよりも大きい構造のアンテナ１と比較して、２つのアンテナ用配線４同士のアイソレーション特性を向上させることができる。
【００３７】
＜無線通信装置＞
無線通信装置７は、図９に示したように、アンテナ１と、アンテナ１に例えば同軸ケーブル８を介して電気的に接続された送信器９または受信器１０、あるいは送信器９および受信器１０と、アンテナ１と送信器９または受信器１０、あるいは送信器９および受信器１０とを収容した筐体１１とを備える。本実施形態に係る無線通信装置７は、上記小型化すことができるアンテナ１を備えることから、無線通信装置７を小型化することができる。
【００３８】
本発明は上述の形態に限定されるものではなく、本発明の要旨を逸脱しない範囲において種々の変更、改良等が可能である。
【００３９】
上述した本発明の実施形態は、アンテナ１が、絶縁基板２を有している構成を例に説明したが、例えば絶縁基板２を有さない構成をしても構わない。この場合には、絶縁基板２がある場合と比較して、誘電体による電磁波の減衰を防止することができるため、アンテナ用配線４から放射される電磁波の放射性を向上させることができる。なお、この場合には、例えば板金法などによって金属板をプレス加工して所望の形状に形成したものをアンテナ用配線４として使用する。
【００４０】
上述した本発明の実施形態は、アンテナ用配線４がミアンダ状である構成を例に説明したが、アンテナ用配線４は、アンテナ用配線４を流れる電流をベクトルで表わしたときの
合成ベクトルにおける２つのアンテナ用配線４の配列方向に沿った成分が互いに反対方向に向くように引き回されていればよく、ミアンダ状に限られるものではない。すなわち、アンテナ用配線４は、図１２〜図１８に示した例のように、例えばジグザグ状、ヘリカル状、フラクタル状またはスパイラル状等に引き回されていてもよい。
【００４１】
上述した本発明の実施形態は、アンテナ１が、層状に形成された金属をグランド部３とした構成を例に説明したが、例えばアンテナ１が携帯電話に使用される場合には、電池等をグランド部３として使用してもよい。この場合は、無線通信装置７を効果的に小型化することができる。
【００４２】
上述した本発明の実施形態は、副グランド部５がグランド部３と接続している構成を例に説明したが、副グランド部５は、グランド部３から離れて配され、例えばボンディングワイヤを介して電気的に接続されていてもよい。このような構成を有することによって、グランド部３と副グランド部５との間には隙間が空いているので、副グランド部５とグランド部３との接続部において、絶縁基板２とグランド部３および副グランド部５との熱膨張率の差に起因して生じる熱応力が加わらず、副グランド部５とグランド部３との接続部にクラックが生じて、副グランド部５とグランド部３との電気的な接続が切れることを防止することができる。
【００４３】
上述した本発明の実施形態は、２つのアンテナ用配線４同士の間に副グランド部５が配されている構成を例に説明したが、２つのアンテナ用配線４同士において所望のアイソレーション特性が得られるのであれば、副グランド部５が配されていなくても構わない。
【００４４】
上述した本発明の実施形態は、２つのアンテナ用配線４同士が対称な構造である構成を例に説明したが、２つのアンテナ用配線４同士が非対称な構造でも構わない。この場合には、一方のアンテナ用配線４Ａと他方のアンテナ用配線４Ｂとを別々の用途で使用することが可能となる。
【００４５】
上述した本発明の実施形態は、アンテナ１において、アンテナ用配線４とグランド部３または副グランド部５とを電気的に接続されていない構成を例に説明したが、アンテナ１は、図１９に示したように、アンテナ用配線４とグランド部３または副グランド部５とを電気的に接続する短絡線１２を備えていてもよい。この場合には、アンテナ用配線４とグランド部３または副グランド部５とを電気的に接続することによって、同軸ケーブル８とアンテナ用配線４とのインピーダンスを給電用電極６で整合させることができる。なお、短絡線１２は、例えばアンテナ用配線４と一体的に形成される。短絡線１２は、例えば銅、アルミニウム、金、銀、タングステンまたはモリブデン等の金属材料、あるいはこれら金属材料を複数含んだ合金で形成される。
【００４６】
また、アンテナ１が短絡線１２を備えている場合においては、給電用電極６は、図１９に示したように、短絡線１２よりもグランド部３側に位置していることが望ましい。すなわち、２つのアンテナ用配線４には、２つのアンテナ用配線４と副グランド部５とが電気的に接続される接続点がそれぞれ設けられており、接続点とグランド部３との距離は、給電用電極６とグランド部３との距離よりも大きい。このような構成を有することによって、図２０および図２２から分かるように、図１９に示した例のアンテナ１は、図２１に例を示した、短絡線１２が給電用電極６よりもグランド部３側に位置している構造のアンテナ１と比較して、２つのアンテナ用配線４同士のアイソレーション特性を向上させることができる。
【００４７】
（アンテナおよび無線通信装置の製造方法）
以下、図１に示すアンテナ１および図１１に示す無線通信装置７の製造方法を説明する
。なお、本発明は以下の実施形態に限定されるものではない。
【００４８】
（１）絶縁基板２を作製する。具体的には、例えば所定の形状のガラス織布にエポキシ樹脂を含浸させた後に、エポキシ樹脂を熱硬化させることによって、絶縁基板２を作製する。
【００４９】
なお、図１に示した例のアンテナ１において、絶縁基板２は、アンテナ用配線４の配列方向（Ｘ軸方向）の長さが４０ｍｍに設定され、かつアンテナ用配線４の配列方向に直交する方向（Ｙ軸方向）の長さが１０５ｍｍに設定された、ガラスエポキシ樹脂からなるものを想定している。
【００５０】
（２）グランド部３、アンテナ用配線４、副グランド部５および給電用電極６を作製する。グランド部３、アンテナ用配線４、副グランド部５および給電用電極６は、例えばパターニング法またはリフトオフ法等で一体的に作製することができる。具体的には、グランド部３等をパターニング法で形成する場合には、金属材料からなる金属層を絶縁基板２上に積層し、所定のパターンのマスクを金属層上に形成した後、金属層をパターニングすることによってグランド部３等を作製することができる。グランド部３等を作製する他の方法としては、スクリーン印刷等の印刷成膜法、ＰＶＤ法，ＣＶＤ法等の積層成膜法といったいずれの方法を用いてもよい。
【００５１】
以上の（１）および（２）の工程によって、アンテナ１を作製することができる。
【００５２】
なお、図１に示した例のアンテナ１において、グランド部３は、アンテナ用配線４の配列方向（Ｘ軸方向）の長さが４０ｍｍに設定され、かつアンテナ用配線４の配列方向に直交する方向（Ｙ軸方向）の長さが８０ｍｍに設定された、銅からなるものを想定している。また、副グランド部５は、アンテナ用配線４の配列方向（Ｘ軸方向）の長さが６ｍｍに設定され、かつアンテナ用配線４の配列方向に直交する方向（Ｙ軸方向）の長さが２０ｍｍに設定された、銅からなるものを想定している。また、給電用電極６は、銅からなるものを想定している。
【００５３】
また、図１に示した例のアンテナ１において、アンテナ用配線４は、アンテナ用配線４の配列方向（Ｘ軸方向）の長さ（Ｌ２）が１０．９ｍｍに設定され、かつアンテナ用配線４の配列方向に直交する方向（Ｙ軸方向）の長さが１７ｍｍに設定された、銅からなるものを想定している。また、アンテナ用配線４はミアンダ状に形成されており、アンテナ用配線４の屈曲数は９個に設定され、アンテナ用配線４の線幅は０．３ｍｍに設定され、アンテナ用配線４の隣り合う線同士の幅が０．８８ｍｍに設定されている。また、アンテナ用配線４の配列方向（Ｘ方向）に沿った、２つのアンテナ用配線４同士の最近接部の距離（Ｌ１）は８ｍｍに設定されている。
【００５４】
（３）アンテナ１のグランド部３上に送信器９または受信器１０を設置する。その後、アンテナ１および送信器９または受信器１０を電気的に接続する。具体的には、アンテナ１の給電用電極６および給電用電極６に近接したグランド部３または副グランド部５と、送信器９または受信器１０とを同軸ケーブル８を介して接続する。
【００５５】
その後、アンテナ１と、アンテナ１と同軸ケーブル８を介して電気的に接続した送信器９または受信器１０とを筐体１１に収納して、密閉する。
【００５６】
以上の工程によって、無線通信装置７を作製することができる。
【符号の説明】
【００５７】
１      アンテナ
２      絶縁基板
３      グランド部
４      アンテナ用配線
４Ａ    一方のアンテナ用配線
４Ｂ    他方のアンテナ用配線
５      副グランド部
６      給電用電極
７      無線通信装置
８      同軸ケーブル
９      送信器
１０    受信器
１１    筐体
１２    短絡線
【図１】
2014220674.tif 000003
【図２】
2014220674.tif 000004
【図３】
2014220674.tif 000005
【図４】
2014220674.tif 000006
【図５】
2014220674.tif 000007
【図６】
2014220674.tif 000008
【図７】
2014220674.tif 000009
【図８】
2014220674.tif 000010
【図９】
2014220674.tif 000011
【図１０】
2014220674.tif 000012
【図１１】
2014220674.tif 000013
【図１２】
2014220674.tif 000014
【図１３】
2014220674.tif 000015
【図１４】
2014220674.tif 000016
【図１５】
2014220674.tif 000017
【図１６】
2014220674.tif 000018
【図１７】
2014220674.tif 000019
【図１８】
2014220674.tif 000020
【図１９】
2014220674.tif 000021
【図２０】
2014220674.tif 000022
【図２１】
2014220674.tif 000023
【図２２】
2014220674.tif 000024